(57)【特許請求の範囲】
【請求項１】
スプールからのフィラメント材の放出を調節するためのテンション制御デバイスであって、
固定サポート、
該固定サポートに枢着され、保持位置に対して傾けられる揺動フレーム組立体、
該揺動フレーム組立体に保持され、スプールを保持し、フィラメント材がスプールから引き出されるとスプールと共に回転するスピンドル組立体、
前記固定サポートに枢着され、前記揺動フレーム組立体と共に枢動することができる制動組立体、および
前記固定サポートに固定して取り付けられ、前記制動組立体を係合して押し、前記制動組立体に前記スピンドル組立体の回転を制御させるカム、
を含み、
フィラメント材に適用される引き出し力は、前記揺動フレーム組立体を前記保持位置から離れるように枢動し、前記スピンドル組立体を回転させる、
ところのデバイス。
【請求項２】
請求項１に記載のデバイスであって、
さらに、前記固定サポートに固定可能に取り付けられ、前記揺動フレーム組立体および前記制動組立体を前記保持位置に配置する、ローディング組立体を含む、
ところのデバイス。
【請求項３】
請求項２に記載のデバイスであって、
前記揺動フレーム組立体は、
一方の端部において前記固定サポートに回転可能に取り付けられた一組の向かい合うアーム、および
該向かい合うアームのもう一方の端部に相互連結するキャリジ
を含み、
前記キャリジは、前記スピンドル組立体に回転可能に収納される、
ところのデバイス。
【請求項４】
請求項２に記載のデバイスであって、
前記スピンドル組立体は、
前記揺動フレーム組立体に回転可能に保持され、スプールを収納するための一方の端部および制動ドラムを保持するための向かい合う端部を有するスピンドル、
該スピンドルと一体的なスプール止め、および
前記スプールと係合するために前記スプール止めから伸長するドライブピン、
を含み、
フィラメント材により適用される何らかのテンションにより前記スプールが回転し、この回転が前記揺動フレーム組立体を枢動可能に動かし、この動きが前記カムと前記制動組立体との間の係合を外し、前記制動ドラムに対して対応する回転力を与え、前記スピンドルの調節された回転を可能にする、
ところのデバイス。
【請求項５】
請求項２に記載のデバイスであって、
前記制動組立体は、
前記固定サポートに回転可能に取り付けられ、カラーを有する抑制ブラケット、
前記カラーに滑動可能に収納されるピン、
前記スピンドル組立体と係合するために、前記ピンの向かい合う端部に固定される制動シュー、および
前記ピンに取り付けられ、前記カムと係合し、前記揺動フレーム組立体が保持位置にあるときに前記制動シューに制動力を与え、前記揺動フレーム組立体が前記保持位置から離れるように枢動すると前記制動力をゆるめるカムベアリング、
を含み、
前記揺動フレーム組立体の枢動は、前記スピンドル組立体により、前記制動シュー、前記ピンおよび前記抑制ブラケットに伝えられる、
ところのデバイス。
【請求項６】
請求項５に記載のデバイスであって、
前記制動組立体はさらに、前記ピンの上に滑動可能に収納され、前記制動シューと前記カムベアリングとの間に配置されるバネを含む、
ところのデバイス。
【請求項７】
請求項２に記載のデバイスであって、
前記カムは、
一方の端部のところで、前記固定サポートに固定可能に取り付けられる、少なくとも一つのプレートを含み、
該少なくとも一つのプレートは、反対の端部のところに、前記制動組立体と係合するためのカム表面を有する、
ところのデバイス。
【請求項８】
請求項２に記載のデバイスであって、
前記ローディング組立体は、
前記固定サポートから伸長するブラケット、および
該ブラケットに保持され、前記揺動フレーム組立体に所定のローディング力を働かせるために空気の供給を受けるエアシリンダー、
を含み、
前記ローディング力は、スプールからフィラメント材を引き出すために必要とされるテンション力により打ち勝たれるように選択される、
ところのデバイス。
【請求項９】
スプールからのフィラメント材の放出を調節するための、自己補償をするテンション制御デバイスであって、
固定サポート、
該固定サポートに枢着され、フィラメント材のスプールを回転可能に保持するスピンドル組立体、
前記固定サポートに枢着され、前記スピンドル組立体に連結され共に枢動可能な、前記スプールの回転を止めるための制動組立体、および
前記固定サポートに固定可能に取り付けられたカム、
を含み、
該カムは、引き出し力が所定の閾値以下になると、前記制動組立体に係合し、引き出し力が所定の閾値か、それ以上になると、少なくとも部分的に係合が外れ、
フィラメント材により適用される引き出し力は前記スピンドル組立体を回転させるとともに枢動し、
前記引き出し力が所定の閾値以下になると、前記制動組立体は、前記スプールの回転を止める、
ところのデバイス。
【請求項１０】
請求項９に記載のデバイスであって、
さらに、前記固定サポートに固定可能に取り付けられたローディング組立体を含み、
該ローディング組立体は、前記スピンドル組立体および前記制動組立体のうちの一つと連結し、そこに所定の閾値を与える、
ところのデバイス。
【請求項１１】
請求項１０に記載のデバイスであって、
前記ローディング組立体は、所定の閾値を選択的に調節することができるエアシリンダーを含む、
ところのデバイス。
【請求項１２】
請求項１０に記載のデバイスであって、
前記スピンドル組立体は、そこで回転することができる制動ドラムを含み、
該制動ドラムは、前記制動組立体により係合される制動表面を有する、
ところのデバイス。
【請求項１３】
請求項１２に記載のデバイスであって、
前記制動組立体は、
前記固定サポートに枢着し、カラーを有する抑制ブラケット、
前記カラーに滑動可能に収納される一方の端部を有するピン、
貫通するピンホールを有するブロック、
前記ピンホールと一直線に並べることができる、貫通する横ホールを有するクロスピン、
前記ブロックを前記ピンに固定するために、前記クロスピンのそれぞれの端部に回転可能に取り付けられたカムベアリング、
前記抑制ブラケットと向かい合わせに前記ピンに固定された制動シュー、および
前記ピンに滑動可能に収納され、前記ブロックと前記制動シューとの間に配置されるバネ、
を含み、
前記スピンドル組立体および前記制動組立体が枢動すると、前記ブロックおよび前記バネにより働く力が、前記制動ドラムの上の前記制動シューにより適用される力を調節するようにして、前記カムが前記カムベアリングを滑動的に動かすように、前記カムベアリングが前記カムに係合する、
ところのデバイス。
【請求項１４】
請求項１３に記載のデバイスであって、
さらに、前記スピンドル組立体および前記制動組立体が動き過ぎるのを防ぐためのセット止めを含む、
ところのデバイス。
【請求項１５】
請求項１３に記載のデバイスであって、
前記制動組立体はさらに、
前記バネと前記ピンとの間に滑動可能に配置され、前記ブロックと前記制動シューとの間に位置して、前記制動シューに過度の力が適用されることを防ぐ止めスリーブを含む、
ところのデバイス。
【発明の詳細な説明】
【０００１】
【発明の属する分野】
本発明は、一般的に、フィラメント材がスプールから引き出される際のテンションの強さを調節するための自動テンション制御デバイスに関する。本発明は、特に、作動パラメータが変化しても、フィラメント材において実質的に一定のテンションを維持するような傾向のテンション制御デバイスに関する。さらに、本発明は、カム作動制動組立体により作動される懸垂スピンドルを利用し、このことにより、悪い作動条件下でも振動することなく、フィラメント材において実質的に一定のテンションを維持するような傾向のテンション制御デバイスに関する。
【０００２】
【従来の技術及び発明の解決しようとする課題】
フィラメント材は、長い長さに製造され、使いやすいようにスプールに巻きつけられる、一本のストランドまたは複数のストランド、平らな帯または束状の繊維を含む。様々なフィラメント材は、天然繊維または合成繊維、硝子または金属のいずれでもよい。これらの物質は、プラスチックまたは弾性化合物の補強材として、一般に利用されるか、またはそれら自身、繊維工業における不可欠な品目として製造され得る。用途に関係なく、フィラメント材は慣習的に、使用する場所またはその付近において、スプールから引き出される。このような取り外しを容易にするために、スプールは慣習的に、フィラメント材が引き出されたときに、スプールが回転できるようにするスピンドルまたは送り出し装置の上に設置される。
【０００３】
スプールからのフィラメント材の放出が高い線速度をもつことができ、このことによりかなりの運動量がスプールおよび関連するスピンドルを設置する構成要素に与えられることから、フィラメント材の制動時、または巻き取り速度が突然減速したときに、急速に力を分散する必要がある。いずれの状況においても、スプールが回転を補正できるまで、フィラメント材は、必要よりも速く放出される傾向がある。何百ものスプールを保持するクリール組立体が使用される場合、明らかに、この問題は大きく倍増される。クリールに使用するための多数の制動装置が開発されている。これらの多くは、スプールからの供給に必要なテンションよりも大きなテンションの下でフィラメント材を供給する。テンションが減少すると、フィラメント材がたるみ、制動力が適用されて、スプールの回転が遅くなる。さらに、フィラメント材に維持されるべきテンションの強さは、様々な条件下において、異なったフィラメント材の作動に適応させる必要があるため、可変的でなければならない。従来、このような可変的テンション制御を有するクリールは、しばしば複数の個々の調節具を必要とし、望ましくコンパクトではなかった。スプールが空のときさえ、フィラメント材の放出の間に、テンションの調節が必要とされる設計もある。他の場合、特に高いテンションを適用するにあたり、所望のテンションについての周期的な変化が、クリールの望ましくない揺れまたはたれという形で表われる。
【０００４】
より商業的に成功した、タイヤ工業において使用されるテンション制御デバイスの一つは、本件出願人の出願した、米国特許第3、899、143号に従う。このデバイスは、スプールサポートおよび分離して設置される回転可能なピボットシャフトをもつ、支持構造を有する。ピボットシャフトに固定される第一のレバーアームが、スプールサポートの上に設置されたスプールからフィラメント材が引き出されるときに、フィラメント材にテンションを適用するためのガイドおよび選択的にスプールサポートと係合するブレーキをもつ。ピボットシャフトに固定された第二のレバーアームが、ピボットシャフトを通って第一のレバーアームに伝わる傾きに影響を与えるエアシリンダーに作動的に連結される。
【０００５】
米国特許第3、899、143号に従ったテンション制御デバイスは、様々な条件下における、様々なフィラメント材での典型的な動作特性が示されている。しかし、これらのテンション制御デバイスがあまり適さない場合がいくつかある。制御アームおよびガイドローラーは、スプールされた物質のもつれにより起こり得る過度のテンションによる損傷で傷つきやすいことがわかっている。フィラメント材は重いゲージワイヤの場合、ガイドローラーはワイヤの形状に対して"型"を与えるか、またはひずみを与える。このことは、最終生成物を不満足なものにするか、またはワイヤをまっすぐにするために、さらに製造装置を提供することを必要とさせる。現在までに、重いフィラメント材をスプールから分配するための包括的な装置はない。さらに、第三の問題は、クリール組立体上に複数のテンションコントローラーを近接させて設置することを、制御アームおよびローラーが妨げるということである。
【０００６】
従って、本発明の目的は、フィラメント材がぴんと張る程度に関係なく、広い範囲から選択される均一なテンションでフィラメント材を放出する、フィラメント材のためのテンション制御デバイスを提供することである。本発明のもう一つの目的は、スプールに残っているフィラメント材の量に関係なく、放出の間に、フィラメント材に対して、実質的に均一なテンションを維持するようなテンション制御デバイスを提供することである。本発明のさらなる目的は、比較的コンパクトで、様々な重いフィラメント材に適応するように、容易に調節することができるようなテンション制御デバイスを提供することである。
【０００７】
本発明のもう一つのさらなる目的は、本発明に従って構成される特定のデバイスについての適用をカバーする全作動範囲に渡って設定される、あらゆる所望のテンションを与えるために、ローディングデバイスにより、選択的に負荷され得るフィラメント材のためのテンション制御デバイスを提供することである。
【０００８】
本発明のさらなる目的は、フィラメント材がスプールから引き出されるときに、損傷を与えないテンション制御デバイスを提供することである。本発明のさらにもう一つの目的は、フィラメント材により加えられるテンション力のみによって打ち勝つことができる制動力をスプールの回転に対して適用する、ローディングデバイスに対する所定の閾値を提供することである。
【０００９】
本発明のもう一つの目的は、枢着された制動組立体と共に動くことができる、枢着されたスピンドル組立体にスプールが保持される、テンション制御デバイスを提供することである。本発明のもう一つのさらなる目的は、所定のテンション力がフィラメント材から失われたときにはいつでも、制動組立体と係合し、スピンドル組立体の回転を防ぐ、固定されたカムを提供することである。本発明のさらなる目的は、カムにより与えられる曲線カム表面に対してバネがバイアスするカムベアリングをもつ滑動可能なブロックをもつ制動組立体を提供し、漸進的に、さらに安定した制動力を適用するか、または制動力を適用するのを止めることである。本発明のさらにもう一つの目的は、スプールに巻かれたフィラメント材の直径が小さくなると、スピンドルおよび制動組立体に作用するテンション力が増加すると制動力は次第に緩和され、このことにより、フィラメント材のテンションを一定に保つことができるような、カムと制動組立体との間の相互作用を構築することである。
【００１０】
本発明のさらにもう一つの目的は、デバイスについて設定されたテンションを単一の調製具により、容易に遠隔的に変化させることができるような複数のデバイスと結合させることができるようなテンション制御デバイスを提供することである。
【００１１】
少なくとも一つまたは二つ以上の本発明の先の目的、従来技術の形状のフィラメント材テンション制御デバイスを超える利点と共に、次の説明からさらに明らかになり、ここで説明されて権利が請求される本発明によって達成される。
【課題を解決するための手段】
【００１２】
一般的に、本発明は、固定されたサポート、該サポートに枢着され、保持位置に予め配置された揺動フレーム組立体、揺動フレーム組立体に保持され、スプールをもち、フィラメント材がスプールから引っ張られるとスプールを回転させるスピンドル組立体、固定されたサポートに枢着され、揺動フレーム組立体と共に動くことができる制動組立体、固定されたサポートに固定可能に設置され、制動組立体に載せられ、制動組立体にスピンドル組立体の回転を制御させ、フィラメント材に適用される引張力が揺動フレーム組立体を保持位置から離れるように動かし、スピンドル組立体を回転させることができるカム、および揺動フレーム組立体と制動組立体とを保持位置に配置するために、固定されたサポートに固定可能に取り付けられたローディング組立体を含む、スプールからのフィラメント材の放出の調節のためのテンション制御デバイスを意図する。
【００１３】
【発明の実施の形態】
本発明の概念にしたがった、例示の自己補償をするフィラメント材のテンション制御デバイスが符号10により一般的に示されている。図１、２および６に最もよく示されているように、テンション制御デバイス10は、固定シャフト14が一体に伸長するフレームサポート12を含む。フレームサポート12は、クレールの一部であっても、フィラメント材の個々のストランドを、完成製造物に加工する機械の一部である他のサポート構造の一部であってもよい。フレームサポート12がまた、必要ならば複数のデバイス10を支持するために使用されてもよいことは分かるであろう。
【００１４】
符号16により一般的に示された揺動フレーム組立体は、固定シャフト14の端部に枢着されている。また固定シャフト14に、符号18により一般的に示された制動組立体が枢着されている。制動組立体18は、揺動フレーム組立体16とフレームサポート12との間に位置するように示されている。符号20により一般的に示されたスピンドル組立体が鎖線により示されたスプール22を支承する。スプール22上には、そのスプールから出て最終製品となるのに使用される、ワイヤ、ヤーン、ストラッド等のフィラメント材が巻かれている。フィラメント材24に適用されるテンション力の結果として、スプール22に回転力が適用されると、揺動フレーム組立体16および制動組立体18は固定シャフト14の周りを枢動する。符号28により一般的に示されたローディング組立体が固定シャフト14に固着されている。すなわち、ローディング組立体28は固定シャフト14の周りを回転できない。ローディング組立体28は揺動フレーム組立体および制動組立体18に所定の負荷または均衡力を課するために、揺動フレーム組立体16に動作し合うように結合されている。ローディング組立体28と揺動フレーム組立体16との間の相互作用は、以下で詳細に説明する。符号30により一般的に示されたカムが制動組立体18に動作し合うように結合されている。
【００１５】
以下の詳細な説明により分かるように、揺動フレーム組立体16、制動組立体18、スピンドル組立体20、ローディング組立体28およびカム30は、スプール22からのフィラメント材24の放出または排出を制御するために、協働する。デバイス10は、組織システムおよび/またはカレンダーへと続く直線路に、フィラメント材を走行させるためのコンパクトな機構を提供する。フィラメント材はスプール22から排出されると、スプールに巻かれたフィラメント材の直径は小さくなり、揺動フレーム組立体16に作用するテンションによって、制動組立体により通常適用される制動力は次第に緩和され、このことによりフィラメント材のテンションは一定になる傾向にある。主要な要素のそれぞれの態様は順に説明する。
【００１６】
揺動フレーム組立体16は、固定シャフト14に枢着された、向かい合う一対のアーム32を含む。とくに、ボールまたは減摩ベアリング34の一対が、固定シャフト14と向かい合う一対のアーム32との間に配置されている。枢動可能なノーズ36が向かい合う一対のアーム32と互いに連結し、ローディング組立体28と結合している。枢動可能なノーズ36は、両方のアーム32が同じ方法で回転するように、向かい合う一対のアーム32と連結している。それぞれの端部内に配置された減摩ベアリング40を有するキャリジ38が、アーム32のそれぞれの端部に取り付けられ、固定シャフト14と向かい合う。
【００１７】
スピンドル組立体20は、キャリジ38内に回転可能に収納され、特に減摩ベアリング40との接触により回転することができるスピンドル44を含む。スピンドル44は、スプール22に収納されるテーパー端部46を含む。スプール止め48が、スピンドルに固定され、そこで回転し、テーパー端部46とキャリジ38との間に配置される。ドライブピン50が、スピンドル44から放射状に移動した位置において、スプール止め48から一端を飛び出させている。ドライブピン50は、スプール22と係合し、スプールが回転すると、スピンドル44を回転させる。すなわち、フィラメント材にテンションが適用され、スプールから引き出されると、スプールに適用される回転力モーメントが、ドライブピン50により、スプール止め48を通してスピンドル44に伝えられる。制動ドラム52が、スピンドル44の一方の端部に固定され、その外縁に、制動表面54を提供する。
【００１８】
制動組立体18は、固定シャフト14と制動ドラム52との間に置かれる。制動組立体18が制動ドラム52に結合され、固定シャフト14上に枢着されるため、何らかの力が適用されると、制動組立体18が揺動フレーム組立体16を回転させる。制動組立体18は、固定シャフト14に回転可能に支承される、抑制ブラケット58を含む。抑制ブラケット58は、ピン62を滑動可能に収納する、カラー60を含む。ピン62の向かい合う端部は、制動表面54の一部分の周りで伸長する制動シュー64に固定可能に固定される。制動シュー64は、制動表面54と係合することができる複数の摩擦パッド66を保持する。リム68が、制動シュー64から伸長し、制動ドラム52の上に、制動組立体18のアライメントを維持する。当業者は、制動シュー64を、当業者によく知られた方法で制動組立体18に固定された保持バンドと置きかえることができることを理解するだろう。ブロック74が、ピンホール75を有する。ブロック74はまた、クロスピン78を滑動可能に収納するクロスホール76も有する。クロスピン78は、ピンホール75と一直線に並べることができる横ホール79を有する。このように、ブロック74およびクロスピン78は、ピン62の上で、滑動的に動くことができる。クロスピン78は、端部が互いにそこに取り付けられたカムベアリング74により、ブロック74において適所に保持される。バネ82が、一方の端部をブロック74に対して押しつけ、もう一方の端部を制動シュー64に押しつけるようにして、ピン62に収納されている。滑動可能なスリーブ84が、バネ82とピン62の外径との間に正反対に配置されており、このスリーブ84は、押されていない状態で、バネ82の長さよりもいくらか短い長さである。従って、バネ82が所定の力で押されると、スリーブ84は、制動力が完全に制動表面54に適用されるように、ブロック74の底部エッジおよび制動シュー64の頂部エッジと接触する。
【００１９】
カム30は、固定シャフト14に支承され、そこに固定される。図２に最もよく示されているように、カム30は、一組のクロスバー90により互いに連結された、一組の向かい合うプレート88を有する。一組の向かい合うプレート88は、抑制ブラケット58をその間に配置するようにして、固定シャフト14上に配置される。固定シャフト14と反対側の、一組の向かい合うプレート88の端部はそれぞれ、回転可能なカムベアリング80に対応して係合する、曲線状のカム表面92をもつ。固定されたサポートに隣接するプレート88は、糸開口部93を有する。ネジまたはその他の固定デバイス94は、フレームサポート12と糸開口部93をもつ向かい合うプレート88とを連結するために利用される。この機能はさらに、カム30を固定シャフト14に固定する。このことは、制動組立体18からカム30に与えられるあらゆる枢動を妨げ、カムが固定シャフト14に固定されて静止するようにする。
【００２０】
図６に最もよく示されるように、フレームサポート12は、クリアランスポケット95をもつことができる。クリアランスポケット95内に、曲線スロット96が設けられる。このことは、カム30の選択的な配置の調節、特に、カムベアリング80に対するカム表面92の配置の調節を可能にする。ネジ94の糸シャフトは、糸開口部93への取り付けのために、スロット96を通じて伸長する。ネジ94の頭は、締められた時にクリアランスポケット95を押す。スペーサー97が、フレームサポート12とその近傍のプレート88との間に設けられる。ネジ94は、スペーサー97を通過し、プレート88に固定される。
【００２１】
ローディング組立体18は、固定シャフト14に固定され、固定シャフト14から一端が飛び出すブラケット98を含む。この実施例において、ブラケット98は、揺動フレーム組立体16の向かい合うアーム32の間に配置されて示されている。当業者は、ブラケット98をフレームサポート12に乗せるか、または他の固定された不動構造にすることができることを理解するだろう。いずれの場合においても、取付バー100は、ブラケット98から下に向かって、実質的に垂直に伸長し、向かい合う端部のところで、エアシリンダー102を支承する。水圧ピストンまたは電気的動力モーターのような、一定の力を適用する他のいずれかのデバイスを取付バー100に固定できることが理解されるだろう。この実施例において、エアシリンダー102は、調節された空気の供給を受けるためのホース104をもつ。ピストンロッド106がエアシリンダー102から伸長し、枢動可能なノース36に取り付けられる。ピストンロッド106が完全に伸長すると、揺動フレーム組立体16および制動組立体18は、取付バー100から離れるように動く。フィラメント材24に適用されるテンションと反対の方向に、所定の平衡力を適用することは、ローディング組立体18の主要な目的である。好適実施例において、約０〜１気圧の気圧が、揺動フレーム組立体16にローディング力を与えるために十分な気圧であることが決定された。
【００２２】
セット止め108が、取付バー100から下方向に伸長し、スプール22に保持されるフィラメント材に過度のテンション力が適用されたときに、揺動フレーム組立体16のあらゆる過度の移動を防ぐ調節可能なセットネジ110をもつ。
【００２３】
作動において、フィラメント材24が巻かれたスプール22は、スピンドル44上に設置され、ドライブピン50が係合される。スプール22をデバイス10の上に充填する人は、次にガイドまたはカレンダーを通してフィラメント材を引き、そこでフィラメント材は、最終生成物に使用するためにフィラメント材を引いたときに、テンション力を適用する機械に収納される。フィラメント材と最終生成物との間に一度予備的な連結がつくられると、フィラメント材により適用されるテンション力と反対の方向に向かって、所定のローディング力がエアシリンダー102に適用される。従って、揺動フレーム組立体16および制動組立体18の両方が、テンション力と反対の方向に向かって、固定シャフト14の上を枢動する。図４に最もよく示されているように、カム30が制動組立体18と完全に係合するようにして、スプール22はわずかに左回りの方向に枢動する。特に、曲線カム表面92は、回転可能なカムベアリング80に、できる限り力を働かせるか、または置きかえる。曲線カム表面9によるこの力の働きは、カムベアリング80を回転させ、クロスピン78およびブロック74を、バネ82に向かって下方向に押しつける。従って、摩擦要素66が完全に制動表面52と係合して、スピンドル44と、そしてもちろんスプール22の回転的な動きを妨げるように、ブロック74は、バネ82および制動シュー64の上に下方向の圧力を働かせる。
【００２４】
テンション力がフィラメント材に適用されると、エアシリンダー102により働く所定のローディング力が打ち勝ち始める。このテンション力はまた、固定シャフト14の周りで揺動フレーム組立体16および制動組立体18を左回りの方向に枢動させる。この結果、カムベアリング80は、ブロック74によりバネ82に適用される力をゆるめるように、曲線カム表面92の一番端に近い位置に動かされる。このことは、図５に最もよく示されているように、スプール22をいくらか自由に回転させ、フィラメント材をそこから引っ込ませることを可能にする。調節可能なセット止め108が利用され、フィラメント材により過度の圧力が適用されたときに、揺動フレーム組立体16が動き過ぎるのを止める。
【００２５】
フィラメント材に適用される圧力が変化すると、例えば、固定シャフト14からのモーメントアームが増加すると、スピンドル44の回転は容易に調節される。すなわち、スプールのフィラメント材がほどかれると、揺動フレーム組立体16に作用するテンション力により生じるトルクは大きくなる傾向にあり、このことにより、制動シュー64に作用するバネの圧力はさらに減少する。フィラメント材に適用されるテンションが急になくなるか、または大きく減少された場合、揺動フレーム組立体16および制動組立体18を通じて、所定の一定のローディング力を適用するエアシリンダーが、固定シャフトの周りで揺動フレーム組立体および制動組立体を左回りに枢動させ、制動シュー64をドラム52上に係合させることが理解されるだろう（図４参照）。
【００２６】
以上より、本発明には、多くの利点があることが理解されるだろう。デバイス10において、フィラメント材の誘導を補助するための分離した制御アームまたはローラーは必要ない。このように、スプール材はスプール22から直接に引き出される。分離した制御アームまたはローラーがないため、装置は、スプールの材のもつれにより起きる可能性がある過度のテンションによる損傷に対して、より傷つきにくい。ローラー設置制御アームを経ることなく、直接にスプールから物質が引き出されるため、そこでキャストまたはねじれを与えられない。このことは、重いゲージワイヤ物質を引っ張るときに、特に利点があることがわかっている。
【００２７】
このように、先述の本発明の目的は、開示されたデバイスにより達成できることが明らかである。当業者に明らかなように、ここで開示されて説明された本発明の思想から逸脱することなく改変を加えることが可能であり、本発明の範囲は、請求の範囲によってのみ、制限されることがわかるだろう。
【図面の簡単な説明】
【図１】  図１は、本発明の概念を実施した、自己補償をするフィラメント材のテンション制御デバイスの正面図で、ここでフィラメント材のスプールは二点鎖線で示され、デバイスはスプールの回転を制御している。
【図２】  図２は揺動フレーム組立体および制動組立体の詳細を断面に示す、一部切欠きされた部分断面側面図である。
【図３】  図３は、とくに制動組立体の要素を示す図２の線3-3にそったテンション制御デバイスの断面図である。
【図４】  図４は図３と同様であるが、全制動位置のテンション制御デバイスを示す。
【図５】  図５は図３と同様であるが、全走行状態のテンション制御デバイスを示す。
【図６】  図６は図１の線6-6にそった側面図である。
【符号の説明】
10…テンション制御デバイス
12…固定サポート
14…固定シャフト
16…揺動フレーム組立体
18…制動組立体
20…スピンドル組立体
22…スプール
24…フィラメント材
30…カム
【図１】
0004460164.tif 000002
【図２】
0004460164.tif 000003
【図３】
0004460164.tif 000004
【図４】
0004460164.tif 000005
【図５】
0004460164.tif 000006
【図６】
0004460164.tif 000007